(57)【要約】密封ジップファスナ（１）を記載する。前記ジップファスナは圧縮弾性材料の２つの帯片（５、６）に取り付けられた２列の対面するティース（３、４）を備え、前記ティースは、外方に突出する把持部材（８）によって変位させることのできる可動スライダ（７）によって一体に接合されたり、分離される。本発明に係るジップファスナ（１）では、帯片（５、６）の両側に、スライダ（７）は、相互に略鏡像の形状を有しかつそれらの陥凹部の周縁（１２、１３）が相互に対向して配設された、第１凹状カプセル（１０）および第２凹状カプセル（１１）を具備し、第１カプセル（１０）は、それに対して垂直であってスライダ（７）内部のキャビティ（１５）内および第２カプセル（１１）に形成された穴（１６）内を滑動することのできる上向きのピン（１４）を有し、把持部材（８）は、作動したときに、ジップファスナ（１）の面（α）に対して垂直に、第１カプセル（１０）を第２カプセル（１１）の方向にかつ第２カプセル（１１）を第１カプセル（１０）の方向に同時に変位させる手段（１７、１８）に接続されるかそれらを有し、それにより、それらの周縁（１２、１３）の端部（１２ｔ、１３ｔ）が、所望の圧力で帯片（５、６）をそれらの間に把持するのに充分な程度に相互に向かって移動する。【選択図】図１
2008523869.tif 000002
【特許請求の範囲】
【請求項１】
圧縮弾性材料の２つの帯片（５、６）に取り付けられた２列の対面するティース（３、４）を備え、前記ティースが、外方に突出する把持部材（８、９）によって変位させることのできる可動スライダ（７、２７）によって、一体に接合されたり分離されるように構成された密封型不浸透性ジップファスナ（１、２）において、前記帯片（５、６）の両側で、前記スライダ（７、２７）は、相互に略鏡像の形状を有しかつそれらの陥凹部の周縁（１２、１３）が相互に対向して配設された第１凹状カプセル（１０）および第２凹状カプセル（１１）を具備し、前記第１カプセルは、それに対して垂直であって前記スライダ（７）内部のキャビティ（１５）内および前記第２カプセル（１１）に形成された穴（１６）内を滑動することのできる上向きのピン（１４）を有し、前記把持部材（８、９）は、作動したときに、前記ジップファスナ（１）の面（α）に対して垂直に、前記第１カプセル（１０）を前記第２カプセル（１１）の方向にかつ前記第２カプセル（１１）を前記第１カプセル（１０）の方向に同時に変位させる手段（１７、１８、１９、２０）に接続されるかそれらを有し、それにより、前記カプセル（１０、１１）の周縁（１２、１３）の端部（１２ｔ、１３ｔ）が、所望の圧力で帯片（５、６）をそれらの間に把持するのに充分な程度に、相互に向かって移動するように構成されることを特徴とするジップファスナ。
【請求項２】
前記把持部材が、前記スライダ（７）と一体的なキャップ（２４）に端部を固定されたスピンドル（１９）に固定された引き手（８）であって、それが前記第２カプセル（１１）の上部壁（１１ｓ）と接触するカム面（１７）を有し、このスピンドル（１９）が前記第１カプセル（１０）から突出する前記ピン（１４）の自由端と一体的な部分（１４ｎ）に形成された横穴（２０）を貫通し、かつ同じくカム形状であって前記キャップ（１６）に形成されたキャビティ（１８）と接触する少なくとも１つの部分（１９ｔ）を有し、前記引き手（８）の同一の回転に対し、前記カム面（１７）の作用によって前記第２カプセル（１１）が前記第１カプセル（１０）に向かって距離（Δｘ）だけ変位し、かつ前記スピンドル（１９）の前記部分（１９ｔ）によって前記第１カプセル（１０）が第２カプセル（１１）に向かって同等で正反対の距離（−Δｘ）だけ変位して、２つの前記カプセル（１０、１１）が、それらの間に把持された前記帯片（５、６）の両面に対し２つの略同等で正反対の押圧力をもたらすように設計された、請求項１に記載のジップファスナ。
【請求項３】
前記把持部材が、前記第１カプセル（１０）に設けられた前記ピン（１４）のねじ付き自由端（１４ｎ）と噛合する第１ねじ（２２）を有する同軸穴（２５）を備えた筒状部分（９ｃ）を有するノブ（９）であり、この筒状部分（９ｃ）が外面に前記第１ねじ（２２）と反対方向の第２ねじ（２１）をも有し、それが前記第２カプセル（１１）に形成されたねじ穴（２３）内に係合して、前記ノブ（９）の回転（Ｒ）が前記ピン（１４）の軸線と平行な逆方向の前記２つのカプセル（１０、１１）の２つの変位（Ｂ、Ｄ）を引き起こして、それらの間に前記帯片（５、６）を所望の圧力で把持することができるように構成された、請求項１または２に記載のジップファスナ。
【請求項４】
前記ノブ（９）の側面にローレットが付けられた、請求項３に記載のジップファスナ。
【請求項５】
上記カプセル（１０、１１）の前記２つの周縁（１２、１３）の間に位置するティース（３、４）の組に溝（２６）が形成され、前記周縁（１２、１３）の端部（１２ｔ、１３ｔ）が可能な限り近接するように相互に向かって移動したときに、前記溝がそれらを相補的に収容することができる、請求項１ないし４の一項に記載のジップファスナ。
【請求項６】
前記ティース（３、４）が取り付けられた前記２つの帯片（５、６）が統一体を形成するか、あるいは前記ジップファスナ（１）が完全に閉鎖されたときに前記スライダ（７）によって占有される前記ジップファスナ（１）の端部より先に位置するゾーン（Ｚ）で密封状態に一体的に接続されることを特徴とする、請求項１ないし５の一項に記載のジップファスナ。
【発明の詳細な説明】
【技術分野】
【０００１】
本発明は、密封ジップファスナ、すなわち流体の通過を防止する不可入性障壁を形成しなければならない型のジップファスナの分野に関する。
【背景技術】
【０００２】
近年、相互に対面して相対圧縮弾性を持つ材料の帯片に取り付けられた２列のティース間の圧力下での水、空気、およびガスの通過を防止する目的で、多数の解決策が考案されてきた。公知の通り、前記ティースは、移動自在でありかつ引き手または類似物のような把持部材を把持することによって変位する、スライダと呼ばれる部材によって一体に接合される。
【０００３】
ジップファスナが閉鎖されたときに、上述したスライダが取り付けられているその端部で、ティースのゾーンと必然的にそれらの間に位置するスライダ部との間に浸入の危険性があり上述した防止策は全く役に立たず、ティースが一体に接合されかつそれらの帯片が相互に押し付け合うゾーンでのみ有効である。
【発明の開示】
【０００４】
この欠点を克服するために、本発明の主題の発明者は、これまでに述べた型のジップファスナであるが、相互に略鏡像の形状を有しかつ陥凹部の周縁が相互に対向して配設された第１および第２凹状カプセルがスライダ上およびその両側に設けられた、ジップファスナを考案した。
【０００５】
前記カプセルの１つは、それに対して垂直であってスライダ本体内および他方のカプセルに形成された穴内を滑動することのできるピンを有し、上述した把持部材は、作動したときに両方のカプセルをジップファスナの面に対して垂直な方向に相互に向かって同時に変位させる手段に接続され、その結果、ティースを支持する弾性材料の２つの帯片が前記カプセルの間で所望の圧力で把持される。このようにして、ティースおよびスライダが一体に接合され、浸入の危険性がある既述のゾーンは、液体の通過を防止する障壁として働く上述したカプセルの周縁内に密封された状態に維持される。
【０００６】
したがって、本発明の目的は、特許請求の範囲の請求項１に記載する密封ジップファスナを提供することである。
【発明を実施するための最良の形態】
【０００７】
本発明に係るジップファスナの実施形態の２つの好適な実施例について、以下に説明し、その説明の過程で添付の図面についても言及する。
【０００８】
まず図１、２、３、および４について考察すると、これらは、２つの圧縮弾性帯片５、６に相互に対向してそれらの縁に沿って固定された２列のティース３、４を一体に接合させたり、分離させる引き手８付きのスライダ７を備え、スライダ７の２方向の変位が前記引き手８を公知の方法で操作することによって得られる、本発明に係るジップファスナ１の第１実施例を示す。
【０００９】
しかし、本発明に係るジップファスナ１では、前記スライダ７は、前記帯片５、６の両側に、相互に略鏡像の形状を有しかつそれらの陥凹部の周縁１２、１３が相互に対向して配設された、第１凹状カプセル１０および第２凹状カプセル１１を具備する。
【００１０】
下方の位置に図示される前記第１カプセル１０は、上を向きかつスライダ７内部のキャビティ１５内のみならず第２カプセルに形成された穴１６内をも通過する垂直ピン１４を有し、２つのカプセル１０、１１が垂直方向に上述のピン１４に沿って相互に滑動することができるように構成される。
【００１１】
引き手８は、スライダ７の一部を形成するキャップ２４に両端を枢着されたスピンドル１９に一体的に固定され、引き手８自体は、前記第２カプセル１１の上部壁１１ｓと接触するカム面１７を外面に有する。上記スピンドル１９は、第１カプセル１０から突出する前記ピン１４の自由端と一体的な部分１４ｎに形成された横穴２０（これに関連して、分かり易くするためにスピンドルが省略されている図３の拡大詳細図をも参照されたい）を貫通し、同じくカム形状であって前記キャップ２４の内部に形成されたキャビティ１８と接触する少なくとも１つの部分１９ｔを有する。このカム形状部分１９ｔは、引き手８の同一の回転Ｙに対して（図１および２）、上述したカム形状部分１９ｔの回転の結果として第１カプセル１０が第２カプセル１１に向かって移動する距離−Δｘに等しくかつ正反対の距離Δｘだけ、第２カプセル１１が（前記カム面１７の回転の結果として）第１カプセル１０に向かって移動するような寸法および形状を有する。
【００１２】
上述した構成は、引き手８が１８０度回転したときに、２つの上述したカプセル１０、１１の周側１２、１３が、それらの間に把持される既述の帯片５、６の両面に対し２つの略同等で正反対の押圧力をもたらす効果を生じる。
【００１３】
他方、図５および６は、本発明に係るジップファスナ２の第２実施例を示す。図面から分かるように、スライダ２７は、前の実施例について説明したものと同様であり、同じくスピンドル１４付きの第１カプセル１０と、前記スピンドル１４が貫通する第２カプセル１１とを有する。２つのカプセル１０、１１の形状および配置構成は、前の実施例について説明したものと全く同様であるが、スライダ２７を移動させるための把持部材がノブ９であり、それは把持作用を改善するためにローレットを付けることが好ましく、第１カプセル１０から突出するピン１４のねじ付き自由端１４ｎと噛合する第１ねじ２２を有するねじ付き同軸穴２５を備えた筒状部分９ｃを有する。
【００１４】
上述した筒状部分９ｃはまた外面に、第１ねじ２２とは逆の方向を有しかつ第２カプセル１１に形成されたねじ穴２３の内部に係合する第２ねじ２１をも有し、様々なねじのピッチおよび方向は、前記ノブ９の回転Ｒが前記ピン１４の軸線と平行な逆方向の２つのカプセル１０、１１の２つの変位Ｂ、Ｄを引き起こして、図６に示すように所望の圧力でそれらの間に帯片５、６を把持することができるように構成される。
【００１５】
これまで説明したどちらの場合も、限られた程度の移動および／または回転により、弾性帯片の上述した把持を達成することができるという、密封ジップファスナに重要な利点（すなわち浸入の危険性に曝されるゾーンの密閉）が得られた。どちらの場合も、実際、引き手８の回転運動Ｙおよびノブ９の回転運動Ｒはどちらも２つの閉鎖運動（Δｘ、−Δｘ、Ｂ、Ｄ）を同時に引き起こし、それらの総和がカプセル１０、１１の間の帯片５、６に対し周縁１２、１３の端部１２ｔ、１３ｔの間で二重の把持作用を生じる。
【００１６】
帯片５、６に対するカプセル１０、１１の効果的な作用を確実にするために、発明者は、それらが相互に向かって可能な限り完全に移動したときに、すなわちジップファスナ１、２が閉鎖され、カプセル１０、１１の間にその帯片５、６を把持することによって密封されたときに、前記周縁の端部１２ｔ、１３ｔを相補的に収容することのできる溝２６を、カプセル１０、１１の周縁１２、１３の間に位置するティース３、４の単数または複数の組に形成することを構想する。
【００１７】
本発明に従って提供されるジップファスナの密封を確実にするために発明者が構想するさらなる方策は、ティース３、４が取り付けられる帯片５、６を、第１実施例に関連して図４に示す通りそれらが統一体を形成するように、または前記ジップファスナが完全に閉鎖されたときにスライダ（この事例では、７）によって完全に占有されるジップファスナの端部より先に位置するゾーンＺで密封状態に一体に接合される（条件は図示せず）ように、設計することから構成される。
【００１８】
この方策を図面により明瞭に示すために、全ての図でスライダの右側に示される前記ゾーンＺの帯片部は、スライダの左側に位置する帯片の２つの部分に関連して、参照番号５、６で示されている。
【図面の簡単な説明】
【００１９】
【図１】前記カプセルが相隔たる状態にある、本発明に係るジップファスナの実施形態の第１実施例の拡大断面図である。
【図２】スライダによって実行される１８０度の回転後にカプセルが近接してティース支持帯片を把持する状態にある、図１と同様の断面図である。
【図３】図１、２に係る実施例の細部のさらなる拡大斜視断面図である。
【図４】上図の実施形態の実施例の斜視図である。
【図５】カプセルが相隔たる状態にある、本発明に係るジップファスナの実施形態の第２実施例の拡大断面図である。
【図６】スライダから垂直方向に突出するノブの回転後にカプセルが近接してティース支持帯片を把持する状態にある、図４と同様の断面図である。
【図１】
2008523869.tif 000003
【図２】
2008523869.tif 000004
【図３】
2008523869.tif 000005
【図４】
2008523869.tif 000006
【図５】
2008523869.tif 000007
【図６】
2008523869.tif 000008
【国際調査報告】
2008523869.tif 000009
2008523869.tif 000010